(57)【要約】【課題】  本発明の課題は、施肥装置に備えているブロア装置に動力を伝達するエンジンにおいて、作業性が低下すること無くエンジンの始動性が向上する作業車両を提供する。【解決手段】  走行車体２の後部に圃場内に肥料を散布する施肥装置５を設け、該施肥装置４の後方に肥料を圃場内に案内する施肥ホース４４を設け、該施肥ホース４４に圧力風を供給するブロア装置４７により肥料を移送することを特徴とする作業車両において、動力機構Ｅからブロア装置に動力を伝達するベルト伝動機構２０をクラッチペダル１０１とブロア装置４７をロッド部１０２を繋ぐことで、ベルト伝動機構２０のテンションを緩める構成とする。【選択図】図１
2017209085.tif 000002
【特許請求の範囲】
【請求項１】
走行車体（２）の後部に圃場内に肥料を散布する施肥装置（５）を設け、該施肥装置（４）の肥料を圃場内に案内供給するブロア装置（４７）により肥料を移送することを特徴とする作業車両において、
前記ブロア装置（４７）に動力を伝達する動力機構（Ｅ）を設け、該ブロア装置（４７）に伝達する動力を入り切する入り切部材（１００）を設け、前記走行車体（２）に伝達する走行伝動を入り切するクラッチ（１０１）を設け、該クラッチ（１０１）の操作による前記走行車体（２）の走行伝動の「入」「切」に連動してブロア装置（４７）への動力の伝達を入切する構成としたことを特徴とする作業車両。
【請求項２】
前記動力機構（Ｅ）の動力をブロア装置（４７）に伝達するベルト伝動機構（２０）を設け、前記クラッチ（１０１）とブロア装置（４７）を連動させるブロアロッド部（１０２）を設け、クラッチ（１０１）を切り操作すると該ブロア装置（４７）が「切」になる側に回動する構成としたことを特徴とする請求項１に記載の作業車両。
【請求項３】
前記ブロア装置（４７）の「切」方向に対して回動を規制する弾性部材（１０３）を設け、前記クラッチ（１０１）を「入」操作すると該弾性部材（１０３）により、前記動力機構（Ｅ）と該ブロア装置（４７）が「入」になる側に回動するとしたことを特徴とする請求項１または請求項２に記載の作業車両。
【請求項４】
前記ブロア装置（４７）に開閉可能なダクト部（１１０）を設け、前記クラッチ（１０１）と該ダクト部（１１０）を繋ぐ連携部材（１１１）を設け、クラッチ（１０１）を「入」操作すると該連携部材（１１１）により、該ダクト部（１１０）が開くことを特徴とする請求項１から請求項３のいずれか１項に記載の作業車両。
【請求項５】
前記施肥装置（５）に圃場内に散布する肥料を貯留するホッパ（４０）と、該ホッパ（４０）内から肥料を排出する肥料排出ダクト（１２０）を設け、該肥料排出ダクト（１２０）に伸縮機構（１２１）を備えることを特徴とする請求項１から請求項４のいずれか１項に記載の作業車両。
【請求項６】
前記走行車体（２）に圃場内の深さを検知する深度センサ（１３２）と、施肥装置（５）から供給される肥料を案内する施肥ホース（４４）を設け、該施肥ホース（４４）の先端に、回動機構（１３３）を備えた複数の肥料案内部材（１３１）を設け、検出される深度の差に合わせて回動機構（１３３）を作動させ、複数の肥料案内部材（１３１）の間隔を変更することを特徴とする請求項１から請求項５のいずれか１項に記載の作業車両。
【請求項７】
前記走行車体（２）に圃場内の水温を検知する温度センサ（１３０）と気温を検知する気温センサ（１３５）を設け、水温及び気温が規定値以下の場合、前記回動機構（１３３）により複数の肥料案内部材（１３１）の間隔を変更し、報知部材（１３７）を作動させることを特徴とする請求項１から請求項６に記載の作業車両。
【請求項８】
前記走行車体（２）に走行輪（１０,１１）を設け、前記走行輪（１０，１１）に駆動力を伝達する伝動ケース（１０４）を設け、前記ホッパ（４０）に貯留された肥料を施肥ホース（４４）に繰り出す繰出し部（４２）を設け、該伝動ケース（１０４）から繰出し部に動力を伝達する施肥伝動出力軸（１０５）を設け、圃場内に散布する肥料の量を調節する散布調節ダイヤル（１０６）と前記動力機構（Ｅ）の回転動力が無段変速機構（１２）を介して該走行輪（１０，１１）に伝達され、該無段変速機構（１２）の開度によって走行速度を調節する変速レバー（２７）を設け、該散布調節ダイヤル（１０６）が規定値以下の場合、通常の変速レバー（２７）の操作に基づき無段変速機構（１２）の出力を規制することを特徴とする請求項１から請求項７のいずれかに記載の作業車両。
【発明の詳細な説明】
【技術分野】
【０００１】
本発明は、圃場情報を検出しながら施肥作業を行う作業車両に関するものである。
【背景技術】
【０００２】
従来の作業車両には、圃場に肥料を供給する施肥装置に肥料を圃場内に送風運送するブロア装置を備えているものがある。（特許文献１）
特許文献１には、走行車体に動力を伝達するエンジンが設けられており、エンジンからブロア装置に動力を伝達することにより運送風が発生し圃場内に肥料を散布することが出来る。
【０００３】
これにより、苗の生育不良が生じることが防止される。
【先行技術文献】
【特許文献】
【０００４】
【特許文献１】特開２００６−３２５４１８号公報
【発明の概要】
【発明が解決しようとする課題】
【０００５】
特許文献１に開示された施肥装置においては、ブロア装置動力をエンジンから得ているため、電動モータを設ける必要が無く簡素な構成を可能としている。しかし、エンジン始動時の負荷が大きく始動性が低下する問題がある。そこで本発明は、ブロア装置の動力構成を簡素化した施肥装置を実現しながら、エンジン始動性を向上することを課題とする。
【課題を解決するための手段】
【０００６】
請求項１の発明は、ブロア装置（４７）に動力を伝達する動力機構（Ｅ）を設け、該ブロア装置（４７）に伝達する動力を入り切する入り切部材（１００）を設け、前記走行車体（２）に伝達する走行伝動を入り切するクラッチ（１０１）を設け、該クラッチ（１０１）の操作による前記走行車体（２）の走行伝動の「入」「切」に連動してブロア装置（４７）への動力の伝達を入切する構成としたことを特徴とする作業車両とした。
【０００７】
請求項２の発明は、前記動力機構（Ｅ）の動力をブロア装置（４７）に伝達するベルト伝動機構（２０）を設け、前記クラッチ（１０１）とブロア装置（４７）を連動させるブロアロッド部（１０２）を設け、クラッチ（１０１）を切り操作すると該ブロア装置（４７）が「切」になる側に回動する構成としたことを特徴とする請求項１に記載の作業車両とした。
【０００８】
請求項３の発明は、前記ブロア装置（４７）の「切」方向に対して回動を規制する弾性部材（１０３）を設け、前記クラッチ（１０１）を「入」操作すると該弾性部材（１０３）により、前記動力機構（Ｅ）と該ブロア装置（４７）が「入」になる側に回動するとしたことを特徴とする請求項１または請求項２に記載の作業車両とした。
【０００９】
請求項４の発明は、前記ブロア装置（４７）に開閉可能なダクト部（１１０）を設け、前記クラッチ（１０１）と該ダクト部（１１０）を繋ぐ連携部材（１１１）を設け、クラッチ（１０１）を「入」操作すると該連携部材（１１１）により、該ダクト部（１１０）が開くことを特徴とする請求項１から請求項３のいずれか１項に記載の作業車両とした。
【００１０】
請求項５の発明は、前記施肥装置（５）に圃場内に散布する肥料を貯留するホッパ（４０）と、該ホッパ（４０）内から肥料を排出する肥料排出ダクト（１２０）を設け、該肥料排出ダクト（１２０）に伸縮機構（１２１）を備えることを特徴とする請求項１から請求項４のいずれか１項に記載の作業車両とした。
【００１１】
請求項６の発明は、前記走行車体（２）に圃場内の深さを検知する深度センサ（１３２）と、施肥装置（５）から供給される肥料を案内する施肥ホース（４４）を設け、該施肥ホース（４４）の先端に、回動機構（１３３）を備えた複数の肥料案内部材（１３１）を設け、検出される深度の差に合わせて回動機構（１３３）を作動させ、複数の肥料案内部材（１３１）の間隔を変更することを特徴とする請求項１から請求項５のいずれか１項に記載の作業車両とした。
【００１２】
請求項７の発明は、前記走行車体（２）に圃場内の水温を検知する温度センサ（１３０）と気温を検知する気温センサ（１３５）を設け、水温及び気温が規定値以下の場合、前記回動機構（１３３）により複数の肥料案内部材（１３１）の間隔を変更し、報知部材（１３７）を作動させることを特徴とする請求項１から請求項６のいずれか１項に記載の作業車両とした。
【００１３】
請求項８の発明は、前記走行車体（２）に走行輪（１０,１１）を設け、前記走行輪（１０，１１）に駆動力を伝達する伝動ケース（１０４）を設け、前記ホッパ（４０）に貯留された肥料を施肥ホース（４４）に繰り出す繰出し部（４２）を設け、該伝動ケース（１０４）から繰出し部に動力を伝達するロッド部（１０５）を設け、圃場内に散布する肥料の量を調節する散布調節ダイヤル（１０６）と前記動力機構（Ｅ）の回転動力が無段変速機構（１２）を介して該走行輪（１０，１１）に伝達され、該無段変速機構（１２）の開度によって走行速度を調節する変速レバー（２７）を設け、該散布調節ダイヤル（１０６）が規定値以下の場合、通常の変速レバー（２７）の操作に基づき無段変速機構（２０）の出力を規制することを特徴とする請求項１から請求項７のいずれか１項に記載の作業車両とした。
【発明の効果】
【００１４】
請求項１の発明により、動力機構（Ｅ）からブロア装置（４７）に伝達する動力を入り切する入り切部材（１００）を設け、動力を切ることで動力機構（Ｅ）に掛かる負荷を軽減し、動力機構（Ｅ）の始動性が向上することができる。また、動力機構（Ｅ）から伝達される走行伝動を入り切するクラッチ（１０１）とブロア装置（４７）が連動し、クラッチ（１０１）操作「切」にするとブロア装置（４７）に伝達される動力は切れ、クラッチ（１０１）操作「入」にすると、ブロア装置（４７）に伝達される動力が入ることで、新たに入り切するレバーを設ける必要が無いため操作性が向上する。
【００１５】
請求項２の発明により、請求項１の効果に加えて、動力機構（Ｅ）の動力をブロア装置（４７）に伝達するベルト伝動機構（２０）を設け、クラッチ（１０１）とブロア装置を連動して動かすブロアロッド部（１０２）を設け、クラッチ（１０１）操作「切」にするとブロア装置（４７）が「切」になる側に回動することで、ベルト伝達機構（２０）のテンションが緩み、ブロア装置（４７）に動力が伝達しないため、動力機構（Ｅ）に掛かる負荷が軽くなるため、始動性が向上する。尚、動力機構（Ｅ）始動時は、クラッチ（１０１）入り操作が必要であるため、常に始動性を確保できる。
【００１６】
請求項３の発明により、請求項１または請求項２の発明の効果に加えて、ブロア装置（４７）の「切」方向に対して回動を規制する弾性部材（１０３）を設け、クラッチ（１０１）を「入」操作すると弾性部材（１０３）により、動力機構（Ｅ）とブロア装置（４７）がベルト伝動機構（２０）により伝達することで、施肥作業の際に、ブロア装置（４７）の駆動を確保できる。
【００１７】
請求項４の発明により、請求項１から請求項３のいずれか１項の発明の効果に加えて、ブロア装置（４７）に開閉可能なダクト部（１１０）を設け、クラッチ（１０１）とダクト部（１１０）を繋ぐ連携部材（１１１）により、クラッチ（１０１）「入」操作するとダクト部（１１０）が開くことで、ブロア装置（４７）の空気抵抗が減少し動力機構（Ｅ）に掛かる負荷が減少することで、始動性が向上する。
【００１８】
請求項５の発明により、請求項１から請求項４のいずれか１項の発明の効果に加えて、施肥装置（５）に圃場内に散布する肥料を貯留するホッパ（４０）と、ホッパ（４０）内に残った肥料を排出する肥料排出ダクト（１２０）を設け、肥料排出ダクトに伸縮機構（１２１）を備えることにより、機体外側に吐出することで肥料排出時に走行車輪（１０，１１）の妨げによる作業性及び、排出性の低下を解消すことができる。
【００１９】
請求項６の発明により、請求項１から請求項５のいずれか１項の発明の効果に加えて、走行車体（２）に圃場内の深さを検知する深度センサ（１３２）と、施肥装置（５）から肥料を運送される施肥ホース（４４）を設け、施肥ホース（４４）の先端に、回動機構（１３３）を備えた肥料案内部材（１３１）を設け、検出される深度の差に合わせて回動機構（１３３）を作動させ、複数の肥料案内部材（１３１）の間隔を変更することにより、深度の差が規定値以上であると、回動機構（１３３）により肥料案内部材（１３１）の間隔を広げることで、荒れた圃場により走行車体（２）の姿勢が不安定な場合でも肥料案内部材（１３１）が回動機構（１３３）により、間隔が拡がることで、規定の散布位置のばらつきを最小限におさえることができる。
【００２０】
請求項７の発明により、請求項１から請求項６のいずれか１項の発明の効果に加えて、走行車体（２）に圃場内の水温および気温を検知する温度センサ（１３０）を設け、水温及び気温が規定値以下の場合回動機構（１３３）により肥料案内部材（１３１）の間隔が拡がることで、肥料がより拡散し水温低下による苗の生育の低下を抑えることができる。また、報知部材（１３７）により、オペレータに知らせることで、生育にとって悪条件な場合を回避することで食物の品質の向上及び生育の安定化が図れる。
【００２１】
請求項８の発明により、請求項１から請求項７のいずれか１項の発明の効果に加えて走行車体（２）に走行輪（１０,１１）を設け、走行輪（１０，１１）に駆動力を伝達する伝動ケース（１０４）を設け、ホッパ（４０）に貯留された肥料を施肥ホース（４４）に繰り出す繰出し部（４２）を設け、伝動ケース（１０４）から繰出し部に動力を伝達する施肥伝動出力軸（１０５）を設け、圃場内に散布する肥料の量を調節する散布調節ダイヤル（１０６）と動力機構（Ｅ）の回転動力が無段変速機構（１２）を介して走行輪（１０，１１）に伝達され、無段変速機構（１２）の開度によって走行速度を調節する変速レバー（２７）を設け、散布調節ダイヤル（１０６）が規定値以下の場合、通常の変速レバー（２７）の操作に基づき無段変速機構（１２）の出力を規制し、急発進を防止することで、無散布区間を無くすことができ、生育の安定化を図れることができる。
【図面の簡単な説明】
【００２２】
【図１】苗移植機の側面図
【図２】苗移植機の平面図
【図３】苗移植機の側面図
【図４】ブロア装置の側面図
【図５】施肥装置の主要部の正面図
【図６】肥料排出ダクト部の側面図
【図７】肥料案内部材の制御システムブロック図
【図８】施肥装置の制御システムブロック図
【発明を実施するための最良の形態】
【００２３】
以下、この発明の実施例を図面に基づき説明する。
【００２４】
図１及び図２は、施肥装置を備えた乗用型田植機１を示すもので、この乗用型田植機１は、走行車体２の後側に昇降リンク機構４介して４条植の苗植付部３が昇降可能に装備され、走行車体２の後部上側に施肥装置５の本体部分が設けられている。
【００２５】
走行車体２は、走行車輪としての左右一対の前輪１０，１０及び後輪１１，１１が架設されてあり、機体の前部に無段変速機構１２が配置されている。原動機となるエンジンＥからの回転動力がベルト伝動機構２０を介して無段変速機構１２内のミッションに伝達される。該ケ−ス内のミッションに伝達された回転動力は、無段変速機構１２内のトランスミッションにて変速された後、走行動力と外部取出動力とに分離して取り出される。そして、走行動力は、前輪１０，１０及び後輪１１，１１を駆動する。また、外部取出動力は、苗植付部４と施肥装置５へ伝動される。
【００２６】
エンジンＥの上部は車体カバー９で覆われており、その上方に運転席７が設置されている。運転席７の前方には各種操作機構を内装するフロントカバー２１及び操作ボックス２２が設置されてあり、その上方に左右の前輪１０，１０を操向操舵するステアリングハンドル８が設けられている。車体カバー９及びフロントカバー２１の下端両側は水平状のフロアステップ２３となっている。フロアステップ２３の後部は、後輪１１のフェンダを兼ねるリヤステップ２４となっている。また、フロアステップ２３よりやや下方で運転席７の両側方に対応する部位には乗降用補助ステップ２５が設けられている。
【００２７】
苗植付部４は、機体に対し油圧昇降シリンダ６を介して昇降する構成であり、マット苗を載せて左右に往復動し苗を一株分づつ各条における前板３０ａの苗取出口３０ｂ，に供給すると共に横一列の苗を全て苗取出口３０ｂに供給すると苗送りベルト３０ｃにより苗を下方に移送する苗タンク３０、植付具３１で一株分の苗を切取って土中に植込む４条分の苗植付装置３２、苗植付面を整地するセンターフロ−ト３４及びサイドフロート３５，３５等を備えた構成としている。
【００２８】
施肥装置５は、苗植付部３の前方で、運転席７後側の左右両側に設けられていて、施肥装置５に肥料を貯溜するホッパ４０内の肥料を繰出し部４２によって繰出し部４２下端の繰出口４３から一定量づつ繰り出し、その繰り出された肥料をブロア装置４７から供給されるエアによって施肥ホース４４を通ってフロ−ト３４，３５の左右両側に設けられた肥料案内部材１３１まで移送し、肥料案内部材１３１の前側に設けた作溝体１３６によって苗植付条の側部近傍に形成される施肥溝内に落し込むようになっている。エンジンＥから駆動ベルト５１を介して駆動されるブロア装置４７は、排気口４８から発生する圧力風を左右方向に長いエアチャンバ４５を経由して施肥ホース４４，内に吹き込み肥料を苗植付部側の肥料吐出口へ強制移送するようになっている。
【００２９】
また、ブロア装置４７を機体に支持する支持部１４０を３カ所設けブロア装置４７の上部に設けた支持部を回動支点１４０ａとし、ブロア装置４７の下方に２箇所に回動点１４０ｂを設け、機体前後方向に回動可能とする案内支持部１４０ｃを設けることで、ブロア装置４７が回動可能となる。さらに、ブロア装置４７の機体前側と、クラッチペダル１０１とを繋ぐブロアロッド部材１０２を設け、クラッチペダル１０１を作業者が踏むとブロアロッド部材１０２を介してブロア装置４７が機体前側に回動することで、ブロア装置４７に動力を伝達する駆動ベルト５１のテンションが緩むため、動力機構Ｅのからの動力が切れることにより、ブロア装置４７を駆動する動力負荷が軽減するため動力機構Ｅの始動性の向上が図れる。
【００３０】
また、図４のように、ブロア装置４７の機体後方に吐出するブロアステー４９ａを設け、機体前側に回動するブロア装置４７を規制する弾性部材１０３をブロアステー４９ａに取り付けることで、クラッチ１０１操作を「切」から「入」にしたとき、該弾性部材１０３により機体後方に回動し、動力機構Ｅから伝達する駆動ベルト５１のテンションが効く構成にすることにより、ブロア装置４７に動力を伝達することができ、非伝達状態と伝達状態の切り替えが可能になる。
【００３１】
また、図４のように、ブロア装置４７に排気口４８を形成し、該排気口４８にダクト部１１０を設け、該ダクト部１１０の機体後方に開閉ステー４９ｂを設け、開閉ステー４９ｂを介してダクト部１１０とクラッチ１０１と連動する連携部材１１１を設け、クラッチ１０１操作「入」ではダクト部１１０は閉じ、クラッチ操作「切」では、ダクト部１１０が開く構成にする。ダクト部１１０が開くことにより、ブロア内部の空気抵抗が小さくなり、動力機構Ｅに掛かる負荷が軽減するため、動力機構Ｅの始動性が向上する。
【００３２】
また、エアチャンバ４５の端部に肥料を排出する肥料排出ダクト１２０を形成した伸縮機構１２１（図５）を設け、伸縮機構１２１端部に肥料排出ダクト１２０があり、肥料を排出する形態にする際は、伸縮機構１２１を機体外側方向に移動させる構成とする。伸縮機構１２１が走行車体２の外側方向に突出するので、肥料排出ダクト１２０が走行輪１１に干渉することなく排出が可能となり、排出作業性が向上する。
【００３３】
施肥装置５は、走行車体２の中央部にホッパ４０が設置され、苗植付部３に設ける苗植付部３０で圃場に肥料を供給するものである。施肥装置５は、図１に示すように、走行車体２の中央部に配置したホッパ４０と、植付位置に対応して圃場内に肥料を吐出する複数の肥料案内部材１３１と、駆動手段として、左右の伝動ケース１０４の左右どちらか一側に、伝動ケース１０４から駆動力を得て繰出し部４２に伝達する施肥伝動出力軸１０５が設けられている。
【００３４】
施肥ホース４４と、肥料案内部材１３１とは、それぞれ、４つずつ設けられている肥料案内部材１３１は、平面視において、長手方向が前後方向と平行な筒状に形成され、内側に肥料を通して、圃場に肥料を供給するものである。肥料案内部材１３１は、前端部を中心に圃場へ肥料を供給する後端部が上下に移動するように、各フロート３５の左右方向の両端部に回動自在に支持されている。肥料案内部材１３１は、側方からみて、前端部から後端部に向かうにしたがって徐々に下方に向かうように、前後方向及び上下方向に対して傾いている。肥料案内部材１３１は、前端部を中心に回動自在に支持されることで、圃場に肥料を供給する深さを変更可能に設けられている。
【００３５】
モータ７３は、肥料案内部材１３１の圃場に肥料を供給する深さを変更させるものである。モータ７３は、肥料案内部材１３１と一対一で対応して設けられ、対応する肥料案内部材１３１の近傍に配置される。モータ７３は、例えば各フロート３４，３５の左右方向の両端部に取り付けられ、肥料案内部材１３１の端部に接続して、端部を中心に肥料案内部材１３１を回動させる。
【００３６】
走行車体２の左右に設けられた深度センサ１３２が走行車体２の左右及び前後の深度にばらつきを検知したとき、モータ７３により、回動機構１３３を駆動させて、肥料案内部材１３１上下方向に回動することにより肥料を拡散することができる。よって、苗の成長が均一となり、作業計画を容易にたてやすくすることができる。
【００３７】
また、伝動ケース１０４に設ける施肥伝動出力軸１０５から繰出し部４２に伝動することにより、後輪１１への駆動力を用いて施肥装置５を作動させることができるので、施肥装置５への伝動経路を別に構成する必要がなく、部品点数の削減や構造の簡潔化が図られる。
【００３８】
繰出し部４２と、施肥ホース４４と、肥料案内部材１３１とは、それぞれ、苗植付装置３が同時に植付作業を行う複数の条毎に対応して設けられている。実施例では、繰出し部４２と、施肥ホース４４と、肥料案内部材１３１とは、それぞれ、４つずつ設けられている。繰出し部４２は、肥料ホッパ４０の下部に接続し、施肥ホース４４は、繰出し部４２に接続し、肥料案内部材１３１は、施肥ホース４４に接続している。肥料案内部材１３１は、圃場に肥料を供給するものであり、各フロート３４，３５の左右方向の両端部に取り付けられている。施肥装置５は、肥料ホッパ４０に貯留された肥料（粉粒体）を繰出し部４２により一定量ずつ施肥ホース４４に繰り出し、ブロア装置４７で発生させた圧力風を施肥ホース４４内に吹き込み、施肥ホース４４内の肥料を施肥ガイド１３１まで導く。また、施肥装置５は、苗植付装置３が同時に植付作業を行う複数の条毎に対応して設けられかつ各肥料案内部材１３１から圃場Ｈに供給する肥料の量を調節可能な施肥量調節装置としての散布調節ダイヤル１０６を備える。
【００３９】
さらに、フロート３４の前端部に水または土壌の温度を測定する温度センサ１３０と、フロントカバー下部に気温を検知する気温センサ１３５を設け、該温度センサ１３０が測定した温度及び気温センサ１３５が測定した気温が規定値以下の場合、モータ７３により回動機構１３３を駆動させて、肥料案内部材１３１を上下方向に回動させることにより、肥料がより拡散し水温低下による苗の生育の低下を抑えることができる。さらに、報告部材１３７を作動させて、オペレータに知らせることで、生育にとって悪条件な場合を回避することで食物の品質の向上及び生育の安定化が図れることができる。
【００４０】
また、走行車輪１０,１１に駆動力を伝達する無段変速機構１２の開度によって走行速度を調節する変速レバー２７が設けられている。施肥装置５の繰出し量を調節する散布調節ダイヤル１０６が規定値以下の場合、制御装置１３４によって無段変速機構１２の出力を規制し、急加減速を防止することにより、肥料無散布区域を防止することができる。よって、苗の生育の低下を抑え、食物の品質の向上及び生育の安定化が図れることができる。
【産業上の利用可能性】
【００４１】
本発明にかかる施肥装置は、動力機構の負荷を軽減されるので、田植機等の農業機械に搭載する装置として有用である。  さらに、前記センターフロート３４の後端部に水または土壌の温度を測定する温度センサ１３０と、圃場の気温を測定する気温センサ１３５を設け、温度センサ１３０及び気温センサ１３５が測定した温度が制御装置１３４に送信される。温度センサ１３０と気温センサ１３５により、測定された数値が規定値以下の場合、操作ボックス２２等でオペレータに知らせることで、生育にとって悪条件な場合を回避することができ食物の品質の向上及び安定化が図れる。
【符号の説明】
【００４２】
１  乗用型田植機
３  苗植付部
４  昇降リンク機構
５  施肥装置
７  運転席 
８  ステアリングハンドル
９  車体カバー
１０  前輪
１１  後輪
１２  無段変速機構
２０  ベルト伝動機構
２１  フロントカバー
２２  操作ボックス
２３  フロアステップ
２４  リヤステップ
２５  補助ステップ
２７  変速レバー
３０  苗タンク
３０ａ  前板
３０ｂ  苗取出口
３０ｃ  苗送りベルト
３２  苗植付装置
３４  センターフロ−ト
３５  サイドフロート
４０  ホッパ 
４２  繰出し部  
４３  繰出口  
４４  施肥ホース
４５  エアチャンバ  
４７  ブロア装置
４８  排気口
４９ａ  ブロアステー
４９ｂ  開閉ステー
５１  駆動ベルト
７３  モータ
１００  入り切部材
１０１  クラッチ
１０２  ロッド部
１０３  弾性部材
１０４  伝動ケース
１０５  施肥伝動出力軸
１０６  散布調節ダイヤル
１１０  ダクト部
１１１  連携部材
１２０  肥料排出ダクト
１２１  伸縮機構
１３０  温度センサ
１３１  肥料案内部材
１３２  深度センサ
１３３  回動機構
１３４  制御装置
１３５  気温センサ
１３６  作溝体
１３７  報知部材
【図１】
2017209085.tif 000003
【図２】
2017209085.tif 000004
【図３】
2017209085.tif 000005
【図４】
2017209085.tif 000006
【図５】
2017209085.tif 000007
【図６】
2017209085.tif 000008
【図７】
2017209085.tif 000009
【図８】
2017209085.tif 000010